(57)【要約】【課題】  建具内に吸音材を収容し、その建具の表面板にスライド式の開閉部を形成することにより、吸音材を露出させ、吸音調整を可能とした吸音建具を提供する。【解決手段】  建具Ａの内部に吸音材５を収容し、その吸音材５の表面を表面板２によって閉塞し、その表面板２にスライド部を等間隔で平行して配置し、そのスライド部をスライドさせて開口し、内部の吸音材２を露出させ、吸音効果を得る。建具Ａの厚さは変化せず、建具の機能を確保した上で、吸音調整を行うことができる。【選択図】        図１
2006063746.tif 000002
【特許請求の範囲】
【請求項１】
建具の内部に吸音材を収容し、その吸音材の表面を表面板によって閉塞し、その表面板に開閉部を形成し、その開閉部を開口させることによって、内部の吸音材を露出させ、吸音効果を得る構成とした吸音建具。
【請求項２】
前記建具の表面板にスライド部を形成し、そのスライド部をスライドさせて開口を形成する構成とした請求項１記載の吸音建具。
【請求項３】
前記スライド部は、建具表面に等間隔で平行して配置されることを特徴とする請求項２記載の吸音建具。
【発明の詳細な説明】
【技術分野】
【０００１】
本発明は、居住空間の仕切りを形成する建具に、吸音効果を付与した吸音建具に関する。
【背景技術】
【０００２】
従来、建材における吸音材料として、ロックウール天井吸音板、多孔開吸音板といった材料が使用されている。
これらの吸音建具は、事務所、商業施設において、天井材等に多く使用されているが、住宅の内装材としてはインテリア上、あまり好まれないケースが多い。そのため、採用例も少なく、これらの、吸音材料はその吸音性能が固定的なため、一度施工するとその後の吸音調整が難しい。
【０００３】
特に、最近の住宅の内装仕上においては、床にはフローリング、壁、天井には石膏ボード＋クロス仕上が大半を占めており、カーペット、畳といった一般に吸音効果のある材料があまり使われなくなってきた。このように室内表面積の中で、吸音効果のある材料が少なくなることで、室内の音が響きすぎるといった問題が発生している。
一方、オーディオルーム、シアタールームといった音楽を専門に楽しむ部屋の設計要求が高まる中、快適な音響空間を家でも楽しめる仕組みが必要とされている。
また、多目的ホールにおいては、低音域から高音域までの広い範囲で、残響音を可変にする必要があり、一般的な吸音壁だけでは、十分に対応できないという問題があった。
そこで、これらの吸音率を調整可能とした装置に関する技術として特開平７−２４８７７５号公報記載の技術が知られている。
【特許文献１】特開平７−２４８７７５号公報
【発明の開示】
【発明が解決しようとする課題】
【０００４】
しかしながら、前記公報記載の技術は、吸音効果を変化させる装置についての技術であり、一般の建具内に組み込むことは困難であり、吸音率の調整も複雑な操作が必要という問題がある。
本発明は係る従来の問題点を解決するためになされたものであって、その目的とするところは、建具内に吸音材を収容し、その建具の表面板にスライド式の開閉部を形成することにより、吸音調整を可能とした吸音建具を提供することにある。
【課題を解決するための手段】
【０００５】
前記目的を達成するための手段として、請求項１記載の吸音建具では、建具の内部に吸音材を収容し、その吸音材の表面を表面板によって閉塞し、その表面板に開閉部を形成し、その開閉部を開口させることによって、内部の吸音材を露出させ、吸音効果を得る構成とした。
請求項２記載の吸音建具では、請求項１記載の吸音建具において、前記建具の表面板にスライド部を形成し、そのスライド部をスライドさせて開口を形成する構成とした。
請求項３記載の吸音建具では、請求項２記載の吸音建具において、前記スライド部は、建具表面に等間隔で平行して配置されている。
【発明の効果】
【０００６】
前記構成を採用することにより、本発明では以下の効果を奏する。
請求項１記載の吸音建具においては、建具の内部に吸音材を収容し、その吸音材の表面を表面板によって閉塞し、その表面板に開閉部を形成したので、その開閉部を開口させることによって、吸音効果が得られる。
また、開口面積を調整することにより、室内の吸音効果を変化させることが可能であり、使用目的に応じた音響空間を形成することができる。
【０００７】
請求項２記載の吸音建具においては、建具の表面板にスライド部を形成し、そのスライド部をスライドさせて開口を形成する構成としたので、建具の厚さを変化させずに吸音調整を行うことができる。そのため、建具としての機能を維持した上で、空間の吸音調整が可能となる。
また、スライド式の構成としたので、簡易な構造で吸音調整が可能となる。
【０００８】
請求項３記載の吸音建具においては、スライド部を建具表面に等間隔で平行して配置したので、吸音材の露出が等間隔に行われ、均一な吸音効果が得られる。
【発明を実施するための最良の形態】
【０００９】
以下、図面に基づいて本発明の吸音建具の実施の形態を説明する。
本発明の吸音建具Ａは、図１、図２に示すように、建具に吸音材を収容し、その表面を表面板１，２によって閉塞し、表側の表面板２に開閉部を形成したものである。
前記建具Ａは居住空間の仕切りを構成するものであり、戸・障子・襖(ふすま)など、建物と外部、また建物の内部を仕切るために設けた開閉扉である。建具の素材としては特に限定されるものではないが、木製、樹脂製、金属製によって構成される。
建具の両端には垂直の端材３が配置され、その端材３と端材３の上下を連結する横材４が配置され、それら、端材３と横材４によって、方形の外郭を形成する構成枠が形成されている。その構成枠の表裏は表面板１，２によって閉塞され、全体形状は、矩形状の壁面を構成している。
建具の厚さは数ｃｍ程度であり、この数ｃｍの建具内の全域に渡って内部一面に等密度にグラスウール（吸音材５）が充填されている。
【００１０】
前記グラスウールは、ガラスを高温で溶かして繊維化したものであり、ガラス質の３〜７ミクロンの繊維からなり、広く吸音材として使用されるものである。
また、吸音材としては、この他ロックウールを使用することも可能であり、このロックウールは、鉄鋼残滓であるスラグを主原料に、１０００℃以上の高温で溶かして繊維化したものである。
これらの、吸音材は音響を吸収する効果の他に、断熱性を備え、延焼を防ぎ、溶け出さず、シロアリの食害を受けない等の利点を備えている。
【００１１】
前記建具Ａの裏側は一連の表面板１によって閉塞されているが、表側の表面板２には開閉部が形成されている。
この開閉部は、幅数ｃｍの板材が所定間隔を置いて平行に配置され、前段の帯板６と、その帯板６の後ろ側にスライドして入り込む後段の帯板７によって構成されている。
この前段と後段の帯板６，７は同一幅によって構成され、スライドすると、後段の帯板７が前段の帯板６の後ろ側に完全に隠れ、スライド部分が開口し、その部分から内部の吸音材が露出し、吸音効果が得られるようになっている。
このスライド構造は、建具Ａに備えられた図示しないレバーを操作することにより、後段の帯板７が一体として連続して前段の帯板６の後ろ側にスライドする構成となっている。尚、レバー操作加減して、開き幅を調整することも可能である。
【００１２】
本発明の吸音建具の使用方法について説明する。
一般の住宅では、平時は、内部の柔らかいグラスウール地を保護するために、表面板２を閉じておく、これにより、埃、塵の侵入を防止でき、内部のグラスウールの損傷も防止し、外観もすっきりとした状態となる。
音楽、映画等を楽しむ場合には、レバー操作により、吸音建具の開閉部を開口する。これにより、開口より吸音材が露出して快適な音響空間が形成される。
また、必要に応じて、開口面積を変化させることが可能である。
本発明では、開閉部がスライド式とされていることにより、スライド式ドア、回動式の開き戸であっても、建具としての機能を維持しながら、吸音効果を発揮することができる。つまり、吸音時、または非吸音時であっても、建具の幅は同一であるため通常の建具として使用することができる。
【実施例１】
【００１３】
次に、本発明の吸音建具を適用した場合の残響時間の比較について説明する。
図４中、黒塗りの扉部分に本発明の吸音建具を適用している。
図４の居住空間は、天井高：２．５ｍ、床面積：３．５×４＝１４ｍ２、表面積：６５．５ｍ２、室容積：３５ｍ３、壁面積：２４．５５ｍ２  建具面積（合計）：９．４５ｍ２
サッシ面積（合計）：３．５ｍ２  の構成となっている。
床はフローリングによって構成される洋室であり、部屋の２方にサッシ２からなる採光窓が配置され、部屋の一面に出入扉９が配置されている。
また、部屋の一方には物入れ１０が配置され、その物入れには開閉扉１１が配置されている。
この空間の中、図中黒塗りの部分、出入扉９及び物入れの開閉扉１１の部分を本発明の吸音建具として、平均残響時間についての試算を行った結果が、図４である。
図４では、建具の開口を閉塞した状態（建具吸音率０．１の場合）では、残響時間０．８６秒と試算された。
また、建具を開口した状態（建具吸音率０．６の場合）では、残響時間０．４６秒と試算され、残響時間を半減させることが可能である。
【００１４】
以上、実施例を説明したが、本発明の具体的な構成は前記実施例に限定されるものではなく、発明の要旨を逸脱しない範囲の設計変更等があっても本発明に含まれる。
前記実施例では、建具の一面側に開閉部を設けたが、両面に設けることも可能である。
また、内部のグラスウールの色彩を表面板と同一とすることにより、開口時にはグラスウールの露出感を感じさせない。
【図面の簡単な説明】
【００１５】
【図１】吸音建具の開閉構造を示す断面図である。
【図２】吸音建具の開閉構造を示す正面図である。
【図３】吸音建具を適用した居住空間の平面図である。
【符号の説明】
【００１６】
１  表面板
２  表面板
３  端材
４  横材
５  吸音材
６  帯板
７  帯板
８  サッシ
９  出入扉
１０  物入れ
１１  開閉扉
【図１】
2006063746.tif 000003
【図２】
2006063746.tif 000004
【図３】
2006063746.tif 000005